(57)【要約】【解決手段】本発明は、光学ストレージデバイス及びその他の感光性基板上に、選択された異なる角度で見える疑似ホログラフィー画像を生成する方法に関する。本発明はまた、スーパーインポーズされた疑似ホログラフィー画像を有する新規な光学ストレージデバイスを開示する。概して、感光性基板が複数の回折パターンを用いて露光されて、スーパーインポーズされた複数の疑似ホログラフィー画像が生成される。これら回折パターンは、感光性基板上にスーパーインポーズされた複数の疑似ホログラフィー画像を生成する。これら疑似ホログラフィー画像は、人間又はコンピュータで読むことができる。【選択図】図２
2009515287.tif 000002
【特許請求の範囲】
【請求項１】
疑似ホログラフィー画像を形成する方法において、
感光性物質を露光して、複数の回折要素を形成する工程と、
前記複数の回折要素を具えており、ある角度で見える疑似ホログラフィーの回折画像を形成する工程とを含む方法。
【請求項２】
前記複数の回折要素の１つの回折要素は、その他の回折要素に対して不均一である、請求項１の方法。
【請求項３】
前記複数の回折要素の各々は、１本の光波に１回のみ露光することで形成される、請求項１の方法。
【請求項４】
露光は、１つのレーザ照射点を用いてなされる、請求項１の方法。
【請求項５】
ビームスプリッタを用いることなく、露光がなされる、請求項１の方法。
【請求項６】
１本を超えるレーザビームを用いることなく、露光がなされる、請求項１の方法。
【請求項７】
参照ビームを用いることなく、露光がなされる、請求項１の方法。
【請求項８】
前記感光性物質は、露光工程の前に基板に与えられて、感光性基板が形成される、請求項１の方法。
【請求項９】
前記基板は、ガラス、ポリマー材料、石英及びセラミック材料の中の少なくとも１つである、請求項８の方法。
【請求項１０】
前記ポリマー材料は、ポリカーボネート、アクリル及びポリエステルの中の少なくとも１つである、請求項９の方法。
【請求項１１】
前記感光性基板は、光学ストレージデバイスである、請求項８の方法。
【請求項１２】
前記光学ストレージデバイスは、コンパクトディスク(ＣＤ)、デジタルビデオディスク(ＤＶＤ)、ブルーレイディスク(ＢＤ)、追記型光学ディスク、記録済の光学ディスク、及び光学メモリカードの少なくとも１つである、請求項１１の方法。
【請求項１３】
露光工程が繰り返されて、第２の複数の回折要素を具えており、前記第１の角度と異なる角度で見える第２の疑似ホログラフィーの回折画像が形成される、請求項１の方法。
【請求項１４】
露光工程が繰り返されて、前記感光性物質内の異なる深さ及び異なる格子の少なくとも１つで露光される複数の疑似ホログラフィーの回折画像が形成される、請求項１の方法。
【請求項１５】
感光性コーティングの厚さは、少なくとも約３０ｎｍである、請求項１の方法。
【請求項１６】
感光性コーティングの厚さは、約５００ｎｍより小さい、請求項１の方法。
【請求項１７】
前記感光性物質は、フォトレジスト、感光色素、及び相変化合金の中の少なくとも１つである、請求項１の方法。
【請求項１８】
前記レーザは、ガスレーザ、ＬＥＤ及び色素レーザの中の少なくとも１つである、請求項１の方法。
【請求項１９】
前記疑似ホログラフィーの回折画像は、人間及び機械の少なくとも１つで読むことができる情報を具える、請求項１の方法。
【請求項２０】
前記情報は、バーコードである、請求項１９の方法。
【請求項２１】
露光した前記感光性物質を金属でコーティングして、スタンパを形成する工程と、
前記スタンパを取り除く工程と、
前記金属スタンパを用いて第２の基板をモールドして、前記感光性基板の前記複数の回折要素と同じ複数の回折要素を具えており、ある角度で見える疑似ホログラフィーの回折画像を形成する工程とを含む、請求項８の方法。
【請求項２２】
前記金属は、ニッケル及び銀の少なくとも１つである、請求項２１の方法。
【請求項２３】
前記第２の基板は、ポリマー材料である、請求項２１の方法。
【請求項２４】
前記第２の基板は、ポリカーボネート、アクリル及びポリエステルの少なくとも１つである、請求項２３の方法。
【請求項２５】
前記第２の基板は、記録用媒体でコーティングされる、請求項２３の方法。
【請求項２６】
疑似ホログラフィー画像を有する装置において、
基板と、
前記基板上の感光性物質をレーザに露光して形成されており、前記基板に結合された複数の回折要素と、
前記複数の回折要素を具えており、前記基板の面で見える疑似ホログラフィーの回折画像とを具える装置。
【請求項２７】
複数の疑似ホログラフィーの回折画像が、異なる深さと異なる格子で見える、請求項２６の装置。
【請求項２８】
前記装置は、光学ストレージデバイスである、請求項２６の装置。
【請求項２９】
疑似ホログラフィー画像のラベルを形成する方法において、
レーザの照射を変調する工程と、
感光性基板を露光して、前記レーザを用いて複数の回折要素を形成する工程と、
前記複数の回折要素を具えており、ある角度で見える疑似ホログラフィーの回折画像を形成する工程と、
前記感光性基板の一部を削除して、ラベルを形成する工程とを含む方法。
【請求項３０】
前記疑似ホログラフィーの回折画像は、人間又は機械が読むことができる情報を具える、請求項２９の方法。
【請求項３１】
前記情報は、少なくとも１つのバーコードを含む、請求項２９の方法。
【発明の詳細な説明】
【技術分野】
【０００１】
本発明は、概して、スーパーインポーズされた疑似ホログラフィー画像(super-imposed, pseudo-holographic images)を用いた光学ストレージデバイスに関しており、より詳細には、光学ストレージデバイス及びその他の感光性基板(photosensitive substrates)上に疑似ホログラフィー画像を生成する方法に関する。生成された画像は、選択された様々な角度で見える。
【背景技術】
【０００２】
区別される複数の画像を同じ面上に生成することは、現在、レンズ又はホログラフィー技術によって達成される。レンズ技術は、レンズの２次シート(secondary sheet)によって複数の画像を分離することで、それら画像を区別させる。複数の画像は、互いに相互配置されて(interleaved)、プラスチック基板にモールドされた一連の円筒レンズからなるレンズシートは、インターレースされた(interlaced)画像の上部で層状になっている。
【０００３】
ホログラム又は光干渉は、同じ記録面上で複数の画像を区別する(discriminate)もう一つの方法である。ホログラムを用いて、振幅と位相の両方の完全な波動場(wave field)を記録することが目的となる。振幅と位相の両方の完全な波動場を記録するために、参照ビームが生成されて照射された物体と干渉し、数ミクロンの厚さの記録媒体に記録される。しかしながら、この厚さは、画像の記録時間と汎用性に関して、障害を生じる。例えば、米国特許第５,４５２,２８２号で引用された欧州特許第９１３０６３１６.０号に記載されたドットマトリックスホログラム法では、個々のホログラフィー格子は、照射する参照ビームのアライメント角を、異なる２５５の角度で変化させることで生成される。このプロセスは、一般的に非常に遅く、１平方インチの領域を露光するのに、通常、５乃至６時間を要する。
【０００４】
もう一つの技術は、ホログラフィーのパイオニアであるEmmett N. LeithとJuris Upatnieksが実証したものであり、ビームではなく対象から異なる角度で記録される参照ビームを用いて複数の画像を分離する。しかしながら、その他のホログラフィー技術のように、これは、２つの波面の干渉パターンに依拠しており、この干渉パターンは、アライメントの制御と周囲環境の制御の点で、困難と不正確性とを生じる。
【０００５】
光学ストレージ媒体に関して、米国特許第６,０１１,７６７号は複数のホログラムを与える方法を記載しており、それらホログラムは、異なるレーザを連続的に照射して位相干渉を生成することで、デジタル記録のように同じ面上に生成される。この方法は、２つの光波の照射を必要とし、それらの照射によって、ホログラム又はドットマトリックスホログラムを生成する位相干渉回折格子が生成される。生成された位相干渉回折格子は、均一である。これら位相干渉回折格子を組み入れているデバイスは、広く、光学的可変デバイス又はＯＶＤと称されている。例えば、原子間力顕微鏡(ＡＦＭ)によると、ＯＶＤの像は、均一に分布した格子を有しており、不連続な要素を有していない。さらに、これらの均一な位相干渉回折格子の生成は、高価で複雑なマルチレーザ装置を必要とする。これは、１本のビームのみを用いるデジタル記録再生の凹凸を生成する装置と非常に異なっている。
【発明の開示】
【０００６】
本発明は、選択された異なる角度で見える複数の疑似ホログラフィー画像を、光学ストレージデバイス及びその他の感光性基板上に生成するシステム及び方法に関する。また、本発明は、スーパーインポーズされた複数の疑似ホログラフィー画像を用いた新規な光学ストレージデバイスを含んでいる。典型的には、感光性基板が露光されて、多重回折パターンが、スーパーインポーズされた複数の疑似ホログラフィー画像を生成する。これら回折パターンは、感光性基板上にスーパーインポーズされた画像を生成し、その感光性基板は、人間又はコンピュータによって読み取られる。本発明は、１又は複数の商業的に利用可能な感光性基板に適用されてもよい。
【０００７】
本発明は、１つのレーザビーム波面と複数の回折要素とを用いて多重回折を起こすシステム及び方法に関する。ある実施例では、多重回折の１次が最も支配的であって、多重回折は、波長と、回折要素のディメンジョンと、光の波面が回折要素を通って伝搬するインデックスとの関数として、波面の０次から離れる異なる角度で生成される。つまり、各回折画像の場所は、式ｎ・λ＝ｄ・ｓｉｎθで記述される。ここで、ｎは次数であり、ラムダは波長であり、ｄは、回折要素間の距離であり、シータは、ｎ次の角度配置である。これら多重回折によって、異なる角度で伝達又は反射した光の何れかで見られると、多重回折画像の１次の画像が、１又は複数の異なる角度にある支配的な１次の強度を有するように設計された画像を示すように構成され得る。つまり、本発明は、複数の画像の画素に適合する螺旋形の露光パターンを作成するのに使用できる。複数の画像はまた、記録する感光性基板内の様々な深さに記録されるように構成される。
【０００８】
より詳細には、ある実施例では、本発明は、疑似ホログラフィー回折画像を形成するシステム及び方法に関しており、感光性物質を露光して複数の回折要素を形成することと、それら回折要素を具えており、ある角度で見ることができる疑似ホログラフィー回折画像を形成することをを含む。
【発明を実施するための最良の形態】
【０００９】
本発明は、感光性基板に複数の回折画像を生成する方法を示す。複数の回折画像は、複数の回折要素を含んでおり、異なる角度で伝搬又は反射した光で見ることができる。図１に示すように、これら回折要素は、主要な１次の強度を有するように設計された画像を示すように構成されてよい。また、本発明は、複数の画像の画素に対応する螺旋形の露光パターンを生成することに使用される。複数の画像はまた、感光性基板内にて様々な深さと格子に記録されるように構成され得る。
【００１０】
典型的な実施例では、第１の画像が、連続した回折要素間の整数間隔(integer spacing)と共に使用されて、図１に示すように、回折要素の第１の組が生成され、１次の強度は第１の角度に対応する。次に、図２に示すように、第２の画像が、連続した回折要素間の非整数間隔(non-integer spacing)と共に使用されて、回折要素の第２の組が生成され、１次の強度は第２の角度に対応する。例えば、回折要素の第２の組は、１.５ミクロンづつ離れた回折格子を有している。これらの異なった回折格子により、感光性基板に複数の画像がスーパーインポーズされる。
【００１１】
典型的な実施例では、感光性基板には、例えば、コンパクトディスク(登録商標)(ＣＤ)、「デジタルバーサトルディスク」若しくは「デジタルビデオディスク」(ＤＶＤ)、ブルーレイディスク(登録商標)(ＢＤ)、「ハイディフィニションＤＶＤ」(ＨＤＤＶＤ)、追記型光ディスク(Recordable Optical Discs)、記録済光学ディスク(Pre-Recorded Optical Discs)及び光学メモリカードなどのような、光学ストレージデバイスがある。これらの感光性基板の各々は、感光性物質を含んでいる。感光性物質は、光の光子を受け取って反応する任意の物質である。例えば、書き込み可能なＣＤ/ＤＶＤは感光色素(photodye)を、再書き込み可能なＣＤ/ＤＶＤは相変化合金を組み入れている。書き込み不可能なＣＤ/ＤＶＤは、プラスチックのディスクにコピーされて売られるマスタースタンパから製造される。マスタースタンパは、一般にフォトレジストと呼ばれる感光性物質を基板にコーティングし、又は、相変化可能な金属材料を基板に薄く体積して、レーザを照射することで作製される。当該技術分野における通常の知識を有する者であれば、この開示で考慮され得る様々なフォトレジストと感光性物質があることを認めるであろう。
【００１２】
複数の画像を記録する方法は、図３に示された典型的なシステムを参照して詳細に説明される。ある実施例では、記録システム(300)は、２以上の画像(302)と、コンピュータコントローラ(304)と、エイトトゥフォーティーン変調(ＥＦＭ)エンコーダ(306)、変調ドライバ(308)、光源(310)、デジタル−アナログコンバータ(ＤＡＣ)/周波数コントローラ(312)、音響光学モジュレータ(ＡＯＭ)(314)、レンズ(316)、感光性基板(320)、ターンテーブル装置(326)及び変換システム(326)を含んでいる。システム(300)は、１以上の媒体ソース(324)を含んでいてもよい。
【００１３】
つまり、記録システム(300)では、ターンテーブル装置(326)は、感光性基板(320)を載置して、変換システム(326)と同期するように感光性基板(320)を回転させる。記録システム(300)は、スパイラルシステムを介して、感光性基板(320)上にデジタル画像(302)の記録をするように構成され得る。感光性基板(320)では、連続するターン間の間隔が、各画像(302)を用いて構成される所定の回折格子の各々に等しくなる。
【００１４】
これら画像(302)は、任意のサイズと形に構成されてよい。ある典型的な実施例では、各画像(302)は、ほぼ同じ大きさになるように構成される。画像(302)はまた、バイナリ、グレイスケール及び/又はカラー画像の１又は複数のようなデジタルフォーマットで構成されてよい。バイナリ画像として構成された画像(302)では、画像(302)は、画素の色と強度について様々なレベルを示す複数のビットで構成される。これら画像(302)はまた、２０４８×２５６ピクセル、８００×６００ピクセル、１０２４×５１２ピクセルなどの様々な解画像度を有するように構成されてよい。ある実施例では、画像(302)は、２０４８×２５６ピクセルの解画像度を有する。さらに、画像(302)は、ビットマップ、ＪＰＥＧやＧＩＦなどの任意のタイプの画像ファイルであってよい。
【００１５】
ある実施例では、コンピュータコントローラ(304)は、ＥＦＭエンコーダ(306)、変調ドライバ(308)、光源(310)、ＤＡＣ/周波数コントローラ(312)、ＡＯＭ(314)及び/又はターンテーブル装置(326)と結合して、感光性基板(320)への画像(302)の記録を行う。コンピュータコントローラ(304)は、プロセッサ、ディスプレイ、及び/又は１以上の入力デバイスを具えている。プロセッサは、パーソナルコンピュータ、ＵＮＩＸ(登録商標)システム、又はその他の一般的な処理装置であってよい。ディスプレイは、モニタ、ＬＣＤスクリーンなどの画像を表示するように構成された任意の装置であってよい。入力/出力デバイスは、キーボード、マウス、タッチスクリーンなどの情報を入力する任意のデバイスであってよい。入力デバイスからの情報と表示される画像は、手動で、アナログデバイス、デジタルデバイス又はその他の任意の機構によって、任意のフォーマットで送受信されてよい。プロセッサ、ディスプレイ及び/又は入力デバイスは、任意の方法で互いに結合されてよい。結合することで、コンピュータコントローラ(304)を含むそれらデバイスは、お互いに直接的に通信するか、ある構成要素から別の構成要素に信号を送受する１以上のその他のデバイス又は構成要素を通じて接続されてもよい。コンピュータコントローラ(304)を含むデバイスのための様々な結合要素は、インターネット、ワイヤレスネットワーク、一般的なワイヤケーブル、光ケーブル、その他の任意の媒体を通じて信号を通す接続、その他の任意の結合デバイス若しくは通信媒体の１又は複数であってよい。
【００１６】
ＥＦＭエンコーダ(306)は、画像(302)のデータをエンコードする。つまり、ＥＦＭエンコーダ(306)は、画像(302)を電気信号に変換する。その電気信号は、ファイル上のデジタル情報に従って、変調ドライバ(308)及び/又はＡＯＭ(314)を駆動して、光源(310)を点滅させる。ＥＦＭエンコーダ(306)は、例えば、メディアモルフィック(Media Morphics)ＴＭエンコーダのような、公知の任意のタイプのエンコーダとして構成されてよい。
【００１７】
ＡＯＭ(314)は、変調ドライバ(308)からの電気駆動信号を用いて、光源(310)の電力、周波数及び/又は空間方向を制御するように構成される。ＤＡＣ/周波数コントローラ(312)が使用されて、バイナリコードのデジタル画像(302)を、例えば、周波数、電圧及び/又は電流のようなアナログ信号に変換して、該アナログ信号により、変調ドライバ(308)が駆動される。
【００１８】
光源(310)は、任意のタイプの光源として構成され、データ及び/又は画像をストレージデバイスに書き込む。光源(310)は、ガスレーザ、ＬＥＤ、ダイレーザ、その他のタイプの任意の光源及び/又はレーザであってよい。ある実施例では、システム(300)は、光源(310)として、４１３ｎｍのコヒーレントエンタープライズIIレーザを組み込んでおり、音響光学モジュレータを用いて、ナノセカンドレンジで光源(310)を点滅させる。光源(310)は、焦点を合わせる又は記録を行うための１以上の更なる光学要素と結合されてよい。例えば、ある実施例では、光源(310)は、対物レンズを用いて、約０.３ミクロンのスポットサイズで合焦される。
【００１９】
媒体ソース(324)は、画像ではないデータを感光性基板(320)に書き込む任意のタイプのデータソースを具えている。媒体ソース(324)は、コンピュータ、ネットワーク、フラッシュドライブ、データファイル、音楽ファイル、動画ファイル、その他の任意のデータ媒体、ネットワーク及び/又はデバイスであってよい。
【００２０】
ターンテーブル装置(322)は、ある実施例では、例えば各回転毎に、回転パルスを与える回転ターンテーブルとして構成される。ターンテーブル装置(322)はまた、変換システム(326)を具えており、該システムは、ターンテーブル(322)に対して径方向に光源(310)を移動させる。変換システム(326)は、１以上のレンズ、リフレクタ、ビームスプリッタなどを具えている。ターンテーブル装置(322)は、ＣＤやＤＶＤ用の記録済又は追記可能なグラスマスタを作製するのに使用されるターンテーブルと同様に構成されてもよい。例えば、ターンテーブル装置(322)は、ソニー、パナソニック、ジングルス(Singulus)、Ｍ２、ＯＤＣなどの会社から商業的に入手できるシステムを具えてよい。典型的なある実施例では、ターンテーブル装置(322)は、ジングルスのＡＭ２００システムである。
【００２１】
感光性基板(320)は、ガラス、石英及び/又はセラミック材料などの、感光性物質でコーティングされるように構成可能な任意のタイプの基板であってよい。感光性物質の例としては、感光色素、相変化合金及び/又はフォトレジストがある。当該技術分野における通常の知識を有する者は、様々な感光性物質と基板が、本明細書にて考慮されてよいことを認めるであろう。
【００２２】
典型的な実施例では、感光性基板(320)は、任意の大きさ及び/又は形状に構成されてよい。典型的なある実施例では、感光性基板(320)は、直径１６０ｍｍの円形に構成される。ある実施例では、感光性基板(320)は、それが４１３ｎｍの記録波長に反応するように、２００ｎｍの深さの感光性物質でコーティングされて、作製される。感光性物質の層は、基板の表面にフォトレジスト材料をコーティングすることで形成される。フォトレジスト材料は、露光による光化学的反応を有することで「活性化される」ように構成されてよい。感光性基板(320)上のフォトレジスト層の深さの変化により、光の観察源(viewing source)に応じて画像(302)のコントラストを増加することができる。典型的なある実施例では、基板をコーティングするのに使用される感光性物質は、シプレー(Shipley)によって製造された２０％濃度のフォトレジストと溶剤である。
【００２３】
幾つかの実施例では、画像(302)のパターンの１次の強度を最適化するために、感光性基板(604)(即ち、記録層)は、光学データストレージ媒体を再生するために使用される特徴を生成するのには最適ではない厚さを有するように構成されてもよい。これらの実施例では、記録層(604)の厚さは、光学データストレージ媒体の記録に最適な場合よりも大きい厚さを有するように構成されてもよい。記録プロセスの間、光源(310)の相対的な強度差は、光学データストレージ媒体を作製する際の光源(310)の強度が、このような媒体の再生をする特徴になるようになされてよい。
【００２４】
記録システム(300)を用いて、回折要素を用いて複数の画像(302)を同じ面に記録する典型的な方法は、図４及び図５に示した典型的なフローチャートに示されている。第１画像(302)を記録する典型的な方法は、感光性物質の溶液で基板をコーティングする工程を含む(ステップ401)。例えば、基板は、厚さ２００ｎｍのフォトレジストが得られるように２０％濃度のフォトレジスト溶液でコーティングされ得る。所望の厚さのフォトレジスト材料(604)で基板がコーティングされると、それは、システム(300)のターンテーブル装置(322)に置かれる(ステップ403)。
【００２５】
第１画像(302)がシステム(300)に置かれると、記録プロセスが開始される(ステップ405)。コンピュータコントローラ(304)が使用されて、第１画像(302)からの情報でＡＯＭ(314)をトリガーすることを開始するようにシステム(300)がプログラムされる(ステップ407)。プログラミング情報は、感光性基板(320)への画像(302)の記録を開始及び停止する寸法を含んでよい。例えば、コンピュータコントローラ(304)は、感光性基板(320)の半径上３５ｍｍで、第１画像(302)の情報の記録を開始し、感光性基板(320)の半径上５０ｍｍで、第１画像(302)の情報の記録を終了するように設定されてよい(ステップ409)。
【００２６】
記録の間、各画素を表す第１画像(302)からの色情報は、ＤＡＣ(312)を用いてアナログ電圧に変換され(ステップ411)、ＤＡＣ(312)からの電圧は、変調ドライバ(308)及び/又はＡＯＭ(314)に与えられて(ステップ413)、２乃至色情報を表すビットの数の累乗で割った最大レーザ強度に応じて、光源(310)の強度を変化させる(ステップ415)。色情報は、周波数情報に変換される。変調ドライバ(308)及び/又はＡＯＭ(314)を駆動するのに使用される電圧は、波動電圧信号であり、周波数は、２乃至色情報を表すビット数の累乗で割った参照周波数に応じて変化する。
【００２７】
記録ステップ(ステップ409-415)の間、コンピュータコントローラ(304)はまた、一定の角速度で、例えば、１秒間に１０回転の一定の角速度で、ターンテーブル装置(322)を回転させることを開始するように構成されてよい(ステップ417)。コンピュータコントローラ(304)はまた、変換システム(326)の駆動に使用され、光源(310)が径方向に配置されて、第１画像(302)の画素に対応する螺旋形の露光パターンが生成される(ステップ419)。つまり、変換システム(326)は、一定のレート、例えば、１回転当たり１ミクロンのレートで横断するように構成されてよい。
【００２８】
第１画像(302)が記録された後、第２画像(302)が感光性基板(320)に記録される。感光性基板(320)は、第１画像(302)の記録と同じ位置に維持されるように設定されて、変換システム(326)は、第１画像(302)の記録を開始した場合と同じである径上の位置に戻される(ステップ501)。第２画像(302)が、システム(300)で記録されるように設定される(ステップ503)。第２画像(302)が準備された後、コンピュータコントローラ(304)は、第２画像(302)からの情報を用いて、ＡＯＭ(314)のトリガーを開始するように、再度、プログラミングされる(ステップ505)。例えば、コンピュータコントローラ(304)は、感光性基板(320)の半径上３５ｍｍで、第２画像(302)の情報の記録を開始し、感光性基板(320)の半径上５０ｍｍで、第２画像(302)の情報の記録を終了するように設定されてよい(ステップ507)。
【００２９】
記録の間、各画素を表す第２画像(302)からの色情報は、ＤＡＣ(312)を用いてアナログ電圧に変換され(ステップ509)、ＤＡＣ(312)からの電圧は、変調ドライバ(308)及び/又はＡＯＭ(314)に与えられて(ステップ511)、２乃至画像(302)内のビットの数の累乗で割った最大レーザ強度の半分の値に応じて、光源(310)の強度を変化させる(ステップ513)。色情報は、周波数情報に変換される。変調ドライバ(308)及び/又はＡＯＭ(314)を駆動するのに使用される電圧は、波動電圧信号であり、その周波数は、２乃至画像(302)内のビットの数の累乗で割った参照周波数に応じて変化する。
【００３０】
記録ステップ(ステップ507-513)の間、コンピュータコントローラ(304)はさらに、一定の角速度で、例えば、１秒間に１０回転の一定の角速度で、ターンテーブル装置(322)を回転させることを開始するように設定されてよい(ステップ515)。コンピュータコントローラ(304)はさらに、変換システム(326)の駆動に使用され、光源(310)が径方向に配置されて、第２画像(302)の画素に対応する螺旋形の露出パターンが生成される(ステップ517)。つまり、変換システム(326)は、一定のレート、例えば、１回転当たり１.５ミクロンのレートで横断するように設定されてよい。
【００３１】
図５と共に、図６に示された典型的な図を参照すると、フォトレジスト(620)を含む感光性基板の感光性物質層が、記録される画像(302)から２つの別個の間隔を与えるように作製され得る(ステップ521)。つまり、フォトレジスト層が作製されると、溝(604)及び/又は凹部(602)に対応する領域が露光される。フォトレジスト層の作製については、それは、製造者によって、浸けられ(immersed in)、吹き付けられ、露光され、及び/又は別の方法と組み合わされてもよい。
【００３２】
感光性基板(620)は、その後、例えば、スパッタリングプロセスなどの任意の金属化ステップを用いて、金属化されてよい(ステップ521)。金属化によって、例えば、ニッケル又は銀のような金属(605)が、露出した感光性基板(620)の表面に蒸着又はコーティングされ、電導層を与える。感光性基板(620)が金属化されると、それは、オートステレオスコピックな(autostereoscopic)画像を、ニッケルのマスタ及び/又はスタンパに送るために、電気メッキされる(ステップ523)。つまり、スタンパ(610)は、例えばニッケルなどの金属を、凹部(602)及び/又は溝(604)に対してその中にメッキすることで形成され、その表面に反対の特徴、即ち隆起した特徴を有する。
【００３３】
スタンパ(610)は、その後モールド装置に置かれて、プラスチックの基板が生成される(ステップ525)。プラスチック基板を生成することで、スタンパ(610)を用いて、溝(604)及び/又は凹部(602)を、エンボス加工及び/又は射出成形によって、プラスチック基板(図示せず)に複製することができる。プラスチック基板は、任意のプラスチック材料及び/又はカラス材料で、例えば、ポリカーボネート材料で作製されてよい。プラスチック基板は、記録媒体構造でオーバーコーティングされることで、金属化されてよい(ステップ527)。記録媒体構造は、ダイを含む記録層、記録層を覆う反射金属化層、及び/又は、反射金属化層を覆うように形成された保護層を含んでよい。
【００３４】
金属化されたプラスチック基板が光源の下で見られると、第１及び第２の画像(302)が、各々の所定の角度で表れる。具体的には、第２画像(302)が完全又は部分的に見られることなく、第１画像(302)は、ある角度で見られる(又は部分的に見られる)。第２画像(302)について見込まれる角度に移動すると、第１画像(302)が完全又は部分的に見られることなく、第２画像(302)のみが見られる(又は部分的に見られる)。図７に示す典型的な図では、見る角度が如何にして画像(302)の鑑賞に影響するかについて、例示的に示されている。
【００３５】
別の典型的な実施例では、回折パターンが、スーパーインポーズされた他の情報(例えば、バーコード)を生成しており、該情報は、感光性基板上の選択された異なる角度で見ることができ、人間及び/又はコンピュータによって読まれる。
【００３６】
別の典型的な実施例では、光学ストレージデバイスが読出ハードウェアに対して傾けられると、又は、読出ハードウェアが光学ストレージデバイス上の異なる角度に移動すると、データが個々の異なる角度で読み出されるように、光学ストレージデバイスが複数の回折要素を用いて露光される。この実施例では、例えば、ＣＤ、ＤＶＤ、ブルーレイディスク、ＨＤＤＶＤ、追記型光ディスク、記録済の光ディスク及び/又は光メモリカードのような多数の一般的な光学ストレージデバイスについて、データ密度の増加が可能である。
【００３７】
もう一つの典型的な実施例では、ＥＣＭＡ−２６７規格で規定されているＤＶＤフォーマットにおいて、光情報をもたらす異なる２つの面が、間隔を開けて分けられていることで、より多くのデータの再生が可能になっている。故に、本発明の回折要素が使用されて、ＤＶＤ上で多重回折が起こされてよく、最も支配的な回折の次数で、ＤＶＤの同じ側から複数の画像が表示されてよい。つまり、第１層が、光を部分的に反射するデータ層として構成されてよく、第２層は、回折要素及び/又は画像を含むように構成され、その反射率は、第１層よりも大きくされてもよい。更に及び/又は代わりに、回折要素の層が、所望の光データ面の機能再生層に影響を与えることなく挿入されてよい。故に、再生デバイスが垂直方向から傾けられて、反射された信号を用いて読み出されると、より多くのデータが、複数の角度にて、光データ面から読み出され得る。結果として、データは、光データ面の両側から得られ得る。
【００３８】
さらに別の実施例では、回折要素は、光データを有する領域のみならず、光データを有しない領域にも置かれる。本発明では、回折要素は任意の面に形成されてよい。ある実施例では、回折要素は、ピットの側面に形成される。例えば、最も支配的な次数の複数の画像が、光学ストレージ媒体の外で異なる角度で置かれてもよく、それらは、光学ストレージ媒体の再生に影響を与えることなく、光学ストレージ媒体のデータ領域の上で露光されてもよい。これは、セキュリティ及び/又はその他の目的に使用される。
【００３９】
さらに別の典型的な実施例では、複数の画像の区別を改善するために、各画像は、光学ストレージ媒体の再生で使用されるデータ要素を生成するのに必要な光記録の厚さよりも厚い記憶層に、記憶されてよい。つまり、一般的な画像の厚さのレンジは、１２０ｎｍから２５０ｎｍであるが、それら画像は、２５０ｎｍを超える厚さで記録されるように構成されてよい。このプロセスを行うために、回折要素が使用されて、より高いレーザ強度にて、支配的な次数が表されてもよい。これは、次に、通常よりも大きな深さで、フォトレジストを露光させ、その一方で、データ要素を生成するのに使用されるレーザは、低い強度で照射される。その結果、フォトレジストの露光の深さは、データ要素の再生に使用される最適な深さに達する。
【００４０】
回折要素の典型的な図は、図９に見られる。図９は、本発明の回折要素のＡＦＭイメージである。図示されているように、回折要素は、ある実施例では、ほぼ不均一であって、離散的な回折要素である。これらの回折要素は、予め計算されて、デジタルに個々に記録される。典型的な実施例では、これら複数の回折要素の各々は、たった１本の光波に一度だけ露光されることで形成される。この個々のデジタル記録は、光学ストレージデバイスに凹凸をつけるために一般的に販売されているビーム装置を使用し、回折要素をより迅速に生成できる。さらに、これらの要素は、位相干渉を用いてホログラムを生成し、事実上アナログである。
【００４１】
簡単化のために、システム(及びシステムの個々の動作要素の構成要素)の一般的なデータネットワークの構築、アプリケーションの開発及びその他の機能的な特徴については、本明細書にて詳細に説明されていない。また、代わり又は追加の多くの機能的関係や物理的接続が、実際のシステムに存在してよいことに留意のこと。
【００４２】
本明細書で説明された様々なシステムの構成要素は、以下の１以上を含んでいてよい：デジタルデータを処理するプロセッサを含むデジタルホストサーバ又はその他のコンピューティングシステム；プロセッサに繋がれてデジタルデータを記憶するメモリ；プロセッサに繋がれてデジタルデータを入力する入力デジタイザ；メモリに記憶され、プロセッサによりアクセスされ、プロセッサによるデジタルデータの処理を命令するアプリケーションプログラム；プロセッサ及びメモリに繋がれて、プロセッサで処理されたデジタルデータに起因する情報を表示するディスプレイデバイス；及び複数のデータベース。様々なデータベースが使用されてよく、顧客データ、販売データ、金融機関データ、及び/又は本発明の実施に有用なその他のデータが含まれていてもよい。当該技術分野における通常の知識を有する者であれば理解できるように、ユーザコンピュータは、オペレーティングシステム(例えば、ウインドウズＮＴ(登録商標)、９５/９８/２０００、ＯＳ２、ＵＮＩＸ、ソラリス(登録商標)、マックＯＳなど)のオペレーティングシステムに加えて、様々な一般的なサポートソフトウェアと、コンピュータに関連する一般的なドライバとを含んでいてよい。ユーザコンピュータは、家庭又はビジネス環境にあり、ネットワークにアクセスできる。典型的な実施例では、アクセスは、商業的に入手できるウェブブラウザのソフトウェアパッケージを用いて、ネットワーク又はインターネットを介してなされる。
【００４３】
本明細書では、用語「ネットワーク」は、ハードウェアとソフトウェアの両方を組み入れている任意の電子通信手段を含む。本発明に基づいたパーティ間の通信は、適当な任意の通信チャンネル、例えば、電話網、エクストラネット、イントラネット、インターネット、相互作用デバイスのポイント(point of interaction device)(例えば、販売デバイスのポイント、パーソナルデジタルアシスタント、携帯電話、キオスク)、オンライン通信、オフライン通信、無線通信、トランスポンダ通信、ローカルエリアネットワーク(ＬＡＮ)、ワイドエリアネットワーク(ＷＡＮ)、ネットワーク又はリンクされたデバイスなどを通じて達成されてよい。さらに、本発明は、本明細書において、ＴＣＰ/ＩＰ通信プロトコルを用いて実施されるように度々記載されているが、本発明はまた、ＩＰＸ、アップルトーク、ＩＰ−６、ＮｅｔＢＩＯＳ、ＯＳＩ、又は現存している若しくは将来のプロトコルを用いて実施されてもよい。ネットワークが、インターネットのような公衆ネットワークの性格を有する場合、そのネットワークは、都合良く、盗聴者に対して不安定でオープンであるとみなされるかも知れない。インターネットに関して使用されるプロトコル、規格及びアプリケーションソフトウェアに関する具体的な情報は、当業者には、本明細書にて詳細を記載する必要がないように、ほとんど知られている。例えば、DlLIP NAIKの「INTERNET STANDARDS AND PROTOCOLS (1998)」、様々な著者による「JAVA 2 COMPLETE, (Sybex 1999)」、DEBORAH RAYとERIC RAYによる「MASTERING HTML 4.0 (1997); and LosHlN, TCP/IP CLEARLY EXPLAINED (1997)」、DAVID GOURLEYとBRIAN TOTTYによる「HTTP, THE DEFINITIVE GUIDE (2002)」は、引用を以て本明細書の一部となる。
【００４４】
様々なシステム構成要素が、独立に、別個に又は集合的に、データリンクを介して、ネットワークに適切に接続されてもよい。データリンクには、例えば、ローカルループに渡ったインターネットサービスプロバイダ(ＩＳＰ)への接続を含んでおり、典型的には、一般的なモデム通信、ケーブルモデム、ディシュネットワーク、ＩＳＤＮ、デジタル加入者線(ＤＳＬ)や様々なワイヤレス通信方法を含んでいる。例えば、引用を以て本明細書の一部となる、GILBERT HELDによる「UNDERSTANDING DATA COMMUNICATIONS (1996)」を参照のこと。ネットワークは、インタラクティブテレビジョン(ＩＴＶ)ネットワークのような他のタイプのネットワークとして実施されてもよい。さらに、システムは、本明細書で説明した機能と似た機能を有する任意にネットワークに渡って、グッズ、サービス若しくは情報を使用、販売又は配布することを意図しいる。
【００４５】
本明細書で言及された何れのデータベースも、どのようなタイプのデータベース、例えば、リレーショナルデータベース、階層型データベース、グラフィカルデータベース、オブジェクト思想データベース、及び/又は他のデータベース構成でもよい。データベースを実行するのに使用できる一般的なデータベース製品としては、ＩＢＭ(ニューヨーク州、ホワイトプレインズ)のＤＢ２、オラクル社(カリフォルニア州、レッドウッドショア)が販売している様々なデータベース製品、マイクロソフト社(ワシントン州、レッドモンド)のマイクロソフト(登録商標)アクセス若しくはマイクロソフトＳＱＬサーバ、又は、他の適切な任意のデータベース製品が含まれる。さらに、データベースは、例えば、データテーブルやルックアップテーブルとして、任意の適切な方法で体系化されてもよい。各レコードは、１つのファイル、一連のファイル、リンクされた一連のデータフィールド、又はその他の任意のデータ構造でも良い。あるデータのアソシエーションは、当業者に知られた、又は既に実施されている所望の任意のデータアソシエーション技術を用いて実現されても良い。例えば、アソシエーションは、手動又は自動で実行されてよい。自動アソシエーション技術には、例えば、データベース検索、データベースマージ、ＧＲＥＰ、ＡＧＲＥＰ、ＳＱＬなどがある。アソシエーションステップは、データベースマージ機能により、例えば、予め選択されたデータベース又はデータセクタにおける「キーフィールド」を用いて、実行されてもよい。
【００４６】
より具体的に述べると、「キーフィールド」は、キーフィールドで定義されるハイレベルなクラスのオブジェクトに応じてデータベースを区切る。例えば、あるタイプのデータが、複数の関連するデータテーブルにおけるキーフィールドとして指定されてよく、そして、それらデータテーブルが、そのキーフィールドにおけるそのデータタイプに基づいてリンクされてもよい。リンクされたデータテーブルの各々におけるキーフィールドに対応するデータは、同一、又は同一のタイプであることが望ましい。しかしながら、似ているが同一ではないデータをキーフィールドに有する複数のデータテーブルを、例えば、ＡＧＲＥＰを用いてリンクしてもよい。本発明のある形態では、適切な任意のデータストレージ技術が用いられて、標準的なフォーマットを用いずにデータが格納されてよい。また、データセットを格納するのに、適切な任意の技術が用いられてもよい。例えば、個々のファイルを格納するのに、ＩＳＯ/ＩＥＣ ７８１６−４ファイル構造を用いてもよい。また、ドメインを実行することによって、１つ以上のデータセットを含む１つ以上の要素ファイルを示す専用のファイルを選択してもよい。階層型ファイルシステムを利用して個々のファイルに格納されたデータセットを利用してもよい。また、１つのファイル(圧縮ファイル、ＳＱＬアクセス可能ファイル、１つ以上のキーでハッシュされたファイル、数値ファイル、ファーストタプルでアルファベット化されたファイルなど)にレコードとして格納されたデータセットを利用しても良い。さらに、ブロックオブバイナリ(ＢＬＯＢ)を利用しても良い。ＩＳＯ/ＩＥＣ ７８１６−６データ要素を用いて符号化された非グループ化データ要素として格納してもよい。ＩＳＯ/ＩＥＣ８８２４及び８８２５の「ISO/IEC Abstract Syntax Notation (ASN.1)」を用いて符号化された、非グループデータ要素として格納してもよい。そしてまた、フラクタル圧縮方法や画像圧縮方法など、その他の適切な技術を用いてもよい。
【００４７】
ある典型的な実施形態では、ブロックオブバイナリ(ＢＬＯＢ)として情報を格納することで、多種の情報を異なるフォーマットで格納することが容易になる。つまり、任意のバイナリ情報を、データセットに関連する記録空間に格納することができる。上述のように、金融取引装置上に、金融取引装置の外部ではあるが、それに属する位置にバイナリ情報を格納してもよい。ＢＬＯＢ方式は、データセットを、非グループデータ要素として格納できる。この非グループデータ要素は、記憶域の固定割当て、循環列技術、又は、メモリ管理に関する最良実施形態(例えば、ページ化メモリ、使用頻度最低など)の何れかを用いて、固定のメモリオフセットを介してバイナリのブロックとしてフォーマットされたものである。ＢＬＯＢ方法を用いることで、異なるフォーマットを有する様々なデータセットを格納することができ、それにより、データセットの複数の関連性の無いオーナーによる金融取引装置に関するデータの格納を、容易に行なうことが可能になる。例えば、格納され得る第１データセットは、第１発行者によって供給されてよく、格納され得る第２データセットは、無関係の第２発行者によって提供されてよく、さらに、格納され得る第３データセットは、第１、第２発行者とは無関係の第３発行者によって供給されてよい。これらの３例のデータセットのそれぞれは、異なるデータ格納フォーマット及び/又は異なるデータ格納技術を用いて格納された異なる情報を含んでよい。さらに、各データセットは、他のサブセットから識別されるデータサブセットを含んでもよい。
【００４８】
上述したように、本発明の様々な実施形態では、データを格納するのは、公知のフォーマットに限られない。しかしながら、好ましい本発明の一実施形態では、金融取引装置に対してデータの操作をする場合、データセット(例えばＢＬＯＢ)には、標準的な方法でアノテーションが付けられてもよい。アノテーションは、短いヘッダ、トレイラ、又は、様々なデータセットの管理に有用な情報を有するように構成されており、各データセットに関連するその他の適切なインジケータを含む。例えば、アノテーションは、ここでは「コンディションヘッダ」、「ヘッダ」、「トレイラ」、又は「ステータス」と呼ばれる。そして、データセット状態の表示を、又は、データの特定の発行者若しくは所有者に関連する識別子を含んでもよい。ある例では、データセットＢＬＯＢの各々の最初の３バイトは、例えば、LOADED、INITIALIZED、READY、BLOCKED、REMOVABLE、又はDELETEDというように、特定のデータセットの状態を示すように構成されてもよい。後に続くバイトは、例えば、発行者、ユーザ、トランザクション/メンバーシップアカウント識別子などのアイデンティディに用いられてよい。これらの条件のアノテーションの各々について、さらに説明する。
【００４９】
データセットアノテーションはまた、その他のタイプのステータス情報用に加えて、その他の様々な用途に用いられてよい。例えば、データセットアノテーションは、アクセスレベルを確立するセキュリティ情報を含んでよい。アクセスレベルは、例えば、ある個人、あるレベルの雇用者、会社、あるいはデータセットにアクセスする他のエンティティに対してのみアクセス可能に構成されてよい。または、取引、業者、発行者、ユーザなどに基づいて、特定のデータセットに対してアクセス可能に構成されてもよい。さらに、セキュリティ情報を用いて、データセットに対するアクセス、変更、及び/又は削除といったあるアクションのみ、制限/許可されてよい。例えば、データセットの所有者あるいはユーザのみが、データセットを削除することを許され、識別された様々業者が、データセットにアクセスして読むことを許され、他の者は、誰もデータセットにアクセスできないことを、データセットのアノテーションが盛り込んでもよい。しかしながら、また、様々なエンティティが、妥当な様々な許可レベルでデータセットにアクセスできるように、他のアクセス制限のパラメータが用いられてもよい。
【００５０】
ヘッダやトレイラを含むデータが、ヘッダやトレイラに従ってデータを追加し、削除、変更又は増加するように構成されたスタンドアローンのインタラクションデバイスで受信されてよい。その意味において、ある好ましい実施形態では、ヘッダやトレイラを、関連する発行者所有のデータと共に取引装置に格納しない。その代わり、トランザクション装置のユーザに対して、スタンドアローンの装置にて、行われる処理を適当に選択させることで、適当な処理がなされる。本発明は、適切なデータに関して、そのデータの、ヘッダ若しくはトレイラ、又は、ヘッダ若しくはトレイラ履歴を取引装置に格納するように、データ格納のアレンジメントを意図してよい。
【００５１】
当業者であれば、データベース、システム、デバイス、サーバ、又はその他の本発明の構成要素が、１又は複数の場所において、セキュリティ確保のために、それらの組合せから構成されても良いことが理解できるだろう。各データベース又はシステムは、セキュリティ上の様々な適切な特徴を、例えば、ファイヤウォール、アクセスコード、符号化/複合化、圧縮、解凍などを含んでよい。
【００５２】
本明細書で説明されたコンピュータは、適切なウエブサイト、又は、ユーザがアクセスできるその他のインターネットベースのグラフィカルユーザインターフェイスを与えてよい。ある実施例では、マイクロソフトインターネットインフォメーションサーバ(ＩＩＳ)、マイクロソフトトランザクションサーバ(ＭＴＳ)及びマイクロソフトＳＱＬサーバが、マイクロソフトオペレーティングシステム、マイクロソフトＮＴウェブサーバソフトウェア、マイクロソフトＳＱＬサーバデータベースシステム及びマイクロソフトコマースサーバと共に使用されてよい。さらに、アクセス、マイクロソフトＳＱＬサーバ、オラクル、Ｓｙｂａｓｅ、ＩｎｆｏｒｍｉｘＭｙＳＱＬ、インターベースなどの構成要素が用いられて、アクティブデータオブジェクト(ＡＤＯ)準拠のデータベース管理システムがもたらされてもよい。
【００５３】
データは、任意の媒体ソースから書き込まれるので、ウェブサイト及び/又はウェブページが、記録される画像及び/又はその他のデータのソースとして使用されてよい。さらに、本明細書にて説明された通信、入力、ストレージ、データベース又はディスプレイの何れかが、ウェブページを有するウェブサイトを介して活用されてもよい。本明細書では、用語「ウェブページ」を、ユーザとインタラクトするのに使用され得るタイプのドキュメント及びアプリケーションに制限する意味で使用していない。例えば、典型的なウェブサイトは、標準的なＨＴＭＬドキュメントに加えて、様々なフォーム、Ｊａｖａ(登録商標)アプレット、Ｊａｖａスクリプト、アクティブサーバページ(ＡＳＰ)、コモンゲートウェイインターフェイススクリプト(ＣＧＩ)、拡張マークアップ言語(ＸＭＬ)、動的ＨＴＭＬ、カスケーディングスタイルシート(ＣＳＳ)、ヘルパーアプリケーション、プラグインなどを含んでよい。サーバは、ウェブサーバからのリクエストを受け取るウェブサービスを含んでよい。リクエストは、ＵＲＬ(http://yahoo.com/stockquotes/ge)とＩＰアドレス(123.56.789)を含む。ウェブサーバは、適切なウェブページを取って来て、ウェブページからのデータ又はアプリケーションをＩＰアドレスに送る。ウェブサービスは、インターネットのような通信手段を介してその他のアプリケーションと相互作用できるアプリケーションである。ウェブサービスは、典型的には、ＸＭＬ、ＳＯＡＰ、ＷＳＤＬ及びＵＤＤＩのような規格又はプロトコルに基づいている。ウェブサービス方法は、当該技術分野で良く知られており、多数の標準テキストで取り上げられている。例えば、引用を以て本明細書の一部となる、ALEX NGHIEMによる「IT WEB SERVICES:A ROADMAP FOR THE ENTERPRISE (2003)」を参照のこと。
【００５４】
本発明は、これまで、機能的構成要素、オプショナルな選択、及び/又は様々な処理ステップの点から説明された。機能的構成要素は、特定の機能を実行する任意の数のハードウェア及び/又はソフトウェアコンポーネントによって実現されてよいことを理解すべきである。例えば、本発明は、様々な集積回路構成要素、例えば、メモリ要素、処理要素、ロジック要素、ルックアップテーブル及び/又はそれに類するものを用いてよい。これら要素は、１つ以上のマイクロプロセッサ又はその他のコントロールデバイスの制御下で、様々な機能を実行する。同様に、本発明のソフトウェア要素は、任意のプログラム言語又はスクリプト言語によって実現されてよい。これらの言語としては、例えば、Ｃ、Ｃ＋＋、Ｊａｖａ、ＣＯＢＯＬ、アセンブラ、ＰＥＲＬ、Ｖｉｓｕａｌ Ｂａｓｉｃ、ＳＱＬ Ｓｔｏｒｅｄ Ｐｒｏｃｅｄｕｒｅｓ、 拡張マークアップ言語(ＸＭＬ)などがある。これらの言語は、データ構造、オブジェクト、プロセス、ルーティン、又はその他のプログラム要素の何れかの組合せによって実現される様々なアルゴリズムと共に用いられる。さらに、本発明は、データ送信、信号伝達、データ処理、ネットワークコントロールなどの任意の数の従来技術を利用してもよい。またさらに、Ｊａｖａスクリプト、ＶＢスクリプトなどのクライアントサイドのスクリプト言語で、セキュリティ上の問題を検知又は防止するために、本発明が用いられてもよい。暗号化及びネットワークセキュリティの基本的な手引きとしては、以下の文献を参照のこと。(１)「"Applied Cryptography: Protocols, Algorithms, And Source Code In C"、Bruce Schneier著、John Wiley & Sons刊行 (第２版,1996)」(２) 「"Java Cryptography" Jonathan Knudson著、O'Reilly & Associates刊行 (1998)」(３)「 "Cryptography & Network Security: Principles & Practice" Mayiam Stalling著、Prentice Hall刊行」。これら全ての文献は、引用を以て、本明細書の一部となる。
【００５５】
当業者であれば理解できるように、本発明は、現存システムのカスタマイゼーション、アドオン製品、アップグレードされたソフトウェア、スタンドアロンシステム、分散システム、方法、データ処理システム、データ処理装置、及び/又はコンピュータプログラム製品として実施される。故に、本発明は、全体的なソフトウェアの実施例、全体的なハードウェアの実施例、又は、ソフトウェアとハードウェアの両方を組み込んだ実施例の形態を取り得る。さらに、本発明は、記憶媒体に格納されたコンピュータ読取可能なプログラムコード手段を有するコンピュータ読取可能な記憶媒体上のコンピュータプログラム製品の形態であってもよい。ハードディスク、ＣＤ−ＲＯＭ、光学ストレージデバイス、磁気ストレージデバイスなどを含む、任意の適切なコンピュータ読取可能記憶媒体が使用されてよい。
【００５６】
これらコンピュータプログラム命令は、汎用コンピュータ、特殊用途コンピュータ、又はその他のプログラマブルデータ処理装置にロードされて、コンピュータ、又はその他のプログラマブルデータ処理装置で実行される指示が、フローチャートの１又は複数のブロックで示された機能を実施する手段を構成しているような装置がもたらされる。これらコンピュータプログラムはまた、コンピュータ又はその他のプログラマブルデータ処理装置を指示して、特定の方法で機能させるようにコンピュータ可読メモリに格納され、コンピュータ可読メモリに格納された命令により、フローチャートの１又は複数のブロックの機能を実現する命令手段を含む製品がもたらされる。コンピュータプログラム命令はまた、コンピュータ又は他のプログラマブルデータ処理装置にロードされて、コンピュータ又は他のプログラマブル装置上で、一連の処理ステップを実行させる。これによって、コンピュータ又は他のプログラマブル装置上で実行される命令が、フローチャートの１又は複数のブロックで示される機能を実行するステップをもたらすような、コンピュータ実行処理がなされる。
【００５７】
本明細における本発明の典型的な実施形態の詳細な説明は、現時点にて、本発明の発明者が知っている様々な典型的な実施例とベストモードとを説明している。これらの典型的な実施例とモードは、当業者が本発明を実施できるように十分に詳細に説明されており、本発明の範囲、用途又は構成を、又は本発明を多少なりとも限定しようとするものではない。さらに、以下の開示は、典型的な実施例とモードの実施と、当該分野である程度の知識を有する者に知られている又は明らかな任意の等価なモード若しくは実施例との両方を教示することを意図している。さらに、添付された全ての図は、典型的な実施例とモードの限定を意図しない図であって、当該分野である程度の知識を有する者に知られている又は明らかな任意のモード又は実施例に、同様に用いられる。
【００５８】
本明細書で用いられる用語「具える」、「具えている」「有する」、「含む」、「含んでいる」、又はそれらの任意の変形表現は、排他的ではなく含んでいるという意味を意図しており、要素のリストを含むプロセス、方法、構成部品又は装置は、それらの要素のみを含むのではなく、そこに列挙されていない要素や、当該分野である程度の知識を有する者に知られている又は明らかな任意の均等物を含んでよい。発明の実施で用いられる、構造の組合せ及び/又は変形、配置、応用、割合、要素、物質又は構成部品は、具体的に述べられていないものに加えて、本開示に含まれることを意図された発明の範囲から逸脱することなく、具体的な環境、製造使用、設計パラメータ又はその他の実施上の要求に対して、変化、或いは部分的に適合されてよい。
【００５９】
さらに、具体的に記載されない限り、出願人は、本明細書と特許請求の範囲の言葉とフレーズは、普通に受け入れられる一般的な意味を、又は、利用可能な分野における通常の知識を有する者によって使用される通常及び常習の意味があることを意図している。それらの意味が異なる場合、本明細書と特許請求の範囲の言葉とフレーズは、最も広い、可能な一般的な意味が与えられるべきである。これらの意味が限定又は狭く解釈することが意図される場合、具体的で記述的な形容詞が使用されるだろう。これらの具体的な形容詞を用いることがないときは、本明細書と特許請求の範囲の言葉とフレーズは、最も広い、可能な意味が与えられるべきである。その他の特殊な任意の意味が、任意の言葉又はフレームに意図される場合には、明細書が、その特殊な意味を明確に述べて定義するだろう。
【００６０】
本明細書又は特許請求の範囲で使用される言葉「機能」、「手段」又は「ステップ」は、発明を定義するために、３５ＵＳＣ１２２条第６パラグラフの条項を適用することを意図したものではない。逆に、本発明を定義するために、このような条項が適用されることが意図されるならば、特許請求の範囲は、任意の物質又は構造、機能をサポートする行為に関するフレーズを記載することなく、「する手段」又は「するステップ」なるフレーズ、機能を具体的に記載するだろう。対照的に、本願の特許請求の範囲、任意の物質又は構造、機能をサポートする行為に関する記載と共に、機能を実現「する手段」又は「するステップ」を述べているので、このような条項が適用されるものではない。このような条項が適用されて本発明が定義される場合、本発明は、好ましい実施例に記載されている具体的な構造、物質又は行為にのみ限定されるものではなく、特許請求の範囲に記載された機能を実行する任意及び全ての既知又は将来の均等な物質、構造、又は行為と共に、特許請求の範囲に記載された機能を実行する任意及び全ての構造、物質、又は行為を含むことを意図している。
【図面の簡単な説明】
【００６１】
本発明の主題は、本明細書の結びの部分にて詳しく示されており、明確に主張されている。しかしながら、本発明のより完全な理解は、詳細な説明と特許請求の範囲を図面と共に参照することで、最適に得られるであろう。図面では、類似した符号は、類似した要素を示している。
【図１】図１は、本発明のある実施例に基づいた回折要素からの光波の伝搬を示す。
【図２】図２は、本発明のある実施例に基づいた回折要素の第２の集合からの光波の伝搬を示す。
【図３】図３は、本発明の典型的な実施例に基づいており、選択された異なる角度で見える複数の疑似ホログラフィー画像を記録する典型的なシステムを示す。
【図４】図４は、本発明の典型的な実施例に基づいて第１の疑似ホログラフィー画像を生成する方法のフロー図である。
【図５】図５は、本発明の典型的な実施例に基づいて第２の疑似ホログラフィー画像を生成する方法のフロー図である。
【図６】図６は、本発明の典型的な実施例に基づいて、複数の疑似ホログラフィー画像を有し、複製に役立つ複写可能なマスクを生成する方法を示す。
【図７】図７は、本発明の典型的な実施例に基づいており、選択された異なる角度で見える複数の疑似ホログラフィー画像を有する表面を示す。
【図８】図８は、本発明の典型的な実施例に基づいており、スーパーインポーズされた複数の疑似ホログラフィー画像を有する新規な光学ストレージデバイスを示す。
【図９】図９は、本発明の典型的な実施例に関した回折格子の原子間力顕微鏡(ＡＦＭ)画像を示す。
【図１】
2009515287.tif 000003
【図２】
2009515287.tif 000004
【図３】
2009515287.tif 000005
【図４】
2009515287.tif 000006
【図５】
2009515287.tif 000007
【図６】
2009515287.tif 000008
【図７】
2009515287.tif 000009
【図８】
2009515287.tif 000010
【図９】
2009515287.tif 000011
【国際調査報告】
2009515287.tif 000012